(57)【要約】【課題】車中の操作部という限られたスペースでも、簡単な操作で選択肢の配列を編集する技術すなわち電子情報処理装置、方法及びプログラムを提供すること。【解決手段】何らかの機能にそれぞれ対応する複数の選択肢を、所定の配列で画面表示する。画面表示されている所望の選択肢への操作を入力するための操作入力手段を備える。操作入力手段を通じ、所定時間以内の押す操作が行われた選択肢に対応する機能を呼び出す。操作入力手段を通じ、所定時間以上の長押しが行われた選択肢を、配列の先頭へ移動させる。【選択図】　図２
2004038260.tif 000002
【特許請求の範囲】
【請求項１】
何らかの機能にそれぞれ対応する複数の選択肢を、所定の配列で画面表示する手段と、
画面表示されている所望の選択肢への操作を入力するための操作入力手段と、前記操作入力手段を通じ、所定時間以内の押す操作が行われた選択肢に対応する機能を呼び出す手段と、
前記操作入力手段を通じ、所定時間以上の長押しが行われた選択肢を、前記配列の先頭へ移動させる手段と、
をコンピュータを用いて実現したことを特徴とする電子情報処理装置。
【請求項２】
何らかの機能にそれぞれ対応する複数の選択肢を、所定の配列で画面表示する手段と、
画面表示されている所望の選択肢への操作を入力するための操作入力手段と、前記操作入力手段を通じ、移動させる選択肢を所定の操作により予め選択したうえ、その移動先の位置を長押し操作により選択するための手段と、
前記移動させる選択肢を、前記移動先の位置へ移動させる手段と、
をコンピュータを用いて実現したことを特徴とする電子情報処理装置。
【請求項３】
前記操作入力手段は、タッチパネルであることを特徴とする請求項１又は２記載の電子情報処理装置。
【請求項４】
前記操作入力手段として、複数のスイッチを備えたスイッチアレイを備え、
スイッチアレイを撮影したリアルタイムの画像に、前記各スイッチに対応する選択肢の内容を表す画像を合成して表示する手段を備えたことを特徴とする請求項１から３のいずれかに記載の電子情報処理装置。
【請求項５】
コンピュータを用いて、
何らかの機能にそれぞれ対応する複数の選択肢を、所定の配列で画面表示し、
画面表示されている所望の選択肢への操作を操作入力手段から入力受付し、
前記操作入力手段を通じ、所定時間以内の押す操作が行われた選択肢に対応する機能を呼び出し、
前記操作入力手段を通じ、所定時間以上の長押しが行われた選択肢を、前記配列の先頭へ移動させることを特徴とする電子情報処理方法。
【請求項６】
コンピュータを用いて、
何らかの機能にそれぞれ対応する複数の選択肢を、所定の配列で画面表示し、
画面表示されている所望の選択肢への操作を操作入力手段から入力受付し、
前記操作入力手段を通じ、移動させる選択肢を所定の操作により予め選択されたうえ、その移動先の位置が長押し操作により選択された場合、前記移動させる選択肢を、前記移動先の位置へ移動させることを特徴とする電子情報処理方法。
【請求項７】
前記操作入力手段として、タッチパネルを用いることを特徴とする請求項５又は６記載の電子情報処理方法。
【請求項８】
前記操作入力手段として、複数のスイッチを備えたスイッチアレイを用い、
スイッチアレイを撮影したリアルタイムの画像に、前記各スイッチに対応する選択肢の内容を表す画像を合成して表示することを特徴とする請求項５から７のいずれかに記載の電子情報処理方法。
【請求項９】
コンピュータを制御することにより、
何らかの機能にそれぞれ対応する複数の選択肢を、所定の配列で画面表示させ、
画面表示されている所望の選択肢への操作を操作入力手段から入力受付させ、前記操作入力手段を通じ、所定時間以内の押す操作が行われた選択肢に対応する機能を呼び出させ、
前記操作入力手段を通じ、所定時間以上の長押しが行われた選択肢を、前記配列の先頭へ移動させることを特徴とする電子情報処理プログラム。
【請求項１０】
コンピュータを制御することにより、
何らかの機能にそれぞれ対応する複数の選択肢を、所定の配列で画面表示させ、
画面表示されている所望の選択肢への操作を操作入力手段から入力受付させ、前記操作入力手段を通じ、移動させる選択肢を所定の操作により予め選択されたうえ、その移動先の位置が長押し操作により選択された場合、前記移動させる選択肢を、前記移動先の位置へ移動させることを特徴とする電子情報処理プログラム。
【発明の詳細な説明】
【０００１】
【発明の属する技術分野】
本発明は、車中の操作部という限られたスペースでも、簡単な操作で選択肢の配列を編集する技術すなわち電子情報処理装置、方法及びプログラムに関するものである。
【０００２】
【従来の技術】
近年、電子技術の急速な進歩に伴って各種電子機器の小型化が進み、自動車内の限られた狭いスペースにも、カーオーディオ装置やカーナビゲーションシステム等の各種電子情報機器が搭載されている。この種の小型化された電子情報機器では、軽量化、省電力化、スペースの兼用化、操作性の向上等のため、表示画面と操作部を液晶などのタッチパネルで兼用するなどの工夫がされている。この種の機器では、例えば画面にいくつかの機能の選択肢がボタンなどで表示され、所望のものを指先でタッチするだけでその機能を起動することができる。
【０００３】
【発明が解決しようとする課題】
しかしながら、上記のような従来技術では、操作部にボタン等で表示される各選択肢の配列は、あらかじめメーカー側が用意したものに固定され、ユーザが好みに応じて自由に変更できなかったため、使い勝手及び満足度の向上が困難という問題点があった。
【０００４】
なお、近年普及の進んだパソコンでは、画面上に表示されるキーやボタンを、マウスでクリックしたまま移動させるか（ドラッグ＆ドロップ）、切り取りと貼り付け（カット＆ペースト）などで所望の個所へ移動させる技術は知られていた。しかし、狭い車中はそのようなマウス操作には不向きであり、また、同様の操作をマウス以外で行うには、カーソルの上下移動、カーソルの指示対象に対する切り取りや貼り付けなど、何種類ものボタンやキーを要するため操作が複雑化する問題もあった。
【０００５】
本発明は、上記のような従来技術の問題点を解決するために提案されたもので、その目的は、車中の操作部という限られたスペースでも、簡単な操作で選択肢の配列を編集する技術すなわち電子情報処理装置、方法及びプログラムを提供することである。
【０００６】
【課題を解決するための手段】
上記の目的を達成するため、請求項１の電子情報処理装置は、何らかの機能にそれぞれ対応する複数の選択肢を、所定の配列で画面表示する手段と、画面表示されている所望の選択肢への操作を入力するための操作入力手段と、前記操作入力手段を通じ、所定時間以内の押す操作が行われた選択肢に対応する機能を呼び出す手段と、前記操作入力手段を通じ、所定時間以上の長押しが行われた選択肢を、前記配列の先頭へ移動させる手段と、をコンピュータを用いて実現したことを特徴とする。
【０００７】
請求項５の電子情報処理方法は、請求項１の発明を方法という見方から捉えたもので、コンピュータを用いて、何らかの機能にそれぞれ対応する複数の選択肢を、所定の配列で画面表示し、画面表示されている所望の選択肢への操作を操作入力手段から入力受付し、前記操作入力手段を通じ、所定時間以内の押す操作が行われた選択肢に対応する機能を呼び出し、前記操作入力手段を通じ、所定時間以上の長押しが行われた選択肢を、前記配列の先頭へ移動させることを特徴とする。
【０００８】
請求項９の電子情報処理プログラムは、請求項１，５の発明をコンピュータプログラムという見方から捉えたもので、コンピュータを制御することにより、何らかの機能にそれぞれ対応する複数の選択肢を、所定の配列で画面表示させ、画面表示されている所望の選択肢への操作を操作入力手段から入力受付させ、前記操作入力手段を通じ、所定時間以内の押す操作が行われた選択肢に対応する機能を呼び出させ、前記操作入力手段を通じ、所定時間以上の長押しが行われた選択肢を、前記配列の先頭へ移動させることを特徴とする。
【０００９】
これらの態様では、車中の操作部という限られたスペースでも、画面上の所望の選択肢について、長押しという簡単な操作だけで配列先頭へ移動できるので、選択肢の配列を編集可能となる。
【００１０】
なお、選択肢の配列形式は、操作ボタンやキーを縦横に並べて例えば左上を先頭位置とする他、リストのような文字列の一覧など自由である。また、選択肢に対する操作に応じて呼び出される機能は、単なるプログラムルーチンでも、アプリケーションでもよい。また、長押しかどうかの判別は、押し続けられる時間をタイマー等で計測すればよい。また、操作入力手段は、タッチパネルの他、リモコンその他でもよい。
【００１１】
請求項２の電子情報処理装置は、何らかの機能にそれぞれ対応する複数の選択肢を、所定の配列で画面表示する手段と、画面表示されている所望の選択肢への操作を入力するための操作入力手段と、前記操作入力手段を通じ、移動させる選択肢を所定の操作により予め選択したうえ、その移動先の位置を長押し操作により選択するための手段と、前記移動させる選択肢を、前記移動先の位置へ移動させる手段と、をコンピュータを用いて実現したことを特徴とする。
【００１２】
請求項６の電子情報処理方法は、請求項２の発明を方法という見方から捉えたもので、コンピュータを用いて、何らかの機能にそれぞれ対応する複数の選択肢を、所定の配列で画面表示し、画面表示されている所望の選択肢への操作を操作入力手段から入力受付し、前記操作入力手段を通じ、移動させる選択肢を所定の操作により予め選択されたうえ、その移動先の位置が長押し操作により選択された場合、前記移動させる選択肢を、前記移動先の位置へ移動させることを特徴とする。
【００１３】
請求項１０の電子情報処理プログラムは、請求項２，６の発明をコンピュータプログラムという見方から捉えたもので、において、コンピュータを制御することにより、何らかの機能にそれぞれ対応する複数の選択肢を、所定の配列で画面表示させ、画面表示されている所望の選択肢への操作を操作入力手段から入力受付させ、前記操作入力手段を通じ、移動させる選択肢を所定の操作により予め選択されたうえ、その移動先の位置が長押し操作により選択された場合、前記移動させる選択肢を、前記移動先の位置へ移動させることを特徴とする。
【００１４】
これらの態様では、車中の操作部という限られたスペースでも、画面上の所望の選択肢について、移動対象を選択のうえ移動先を長押しするという簡単な操作だけで、配列先頭だけでなく所望の場所へ移動できるので、選択肢の配列を編集可能となる。
【００１５】
請求項３の発明は、請求項１又は２記載の電子情報処理装置において、前記操作入力手段は、タッチパネルであることを特徴とする。
【００１６】
請求項７の発明は、請求項３の発明を方法という見方から捉えたもので、請求項５又は６記載の電子情報処理方法において、前記操作入力手段として、タッチパネルを用いることを特徴とする。
【００１７】
これらの態様では、長押し等の操作をタッチパネルから入力するので、省スペース化及び操作効率化の効果が得られる。
【００１８】
請求項４の発明は、請求項１から３のいずれかに記載の電子情報処理装置において、前記操作入力手段として、複数のスイッチを備えたスイッチアレイを備え、スイッチアレイを撮影したリアルタイムの画像に、前記各スイッチに対応する選択肢の内容を表す画像を合成して表示する手段を備えたことを特徴とする。
【００１９】
請求項８の発明は、請求項４の発明を方法という見方から捉えたもので、請求項５から７のいずれかに記載の電子情報処理方法において、前記操作入力手段として、複数のスイッチを備えたスイッチアレイを用い、スイッチアレイを撮影したリアルタイムの画像に、前記各スイッチに対応する選択肢の内容を表す画像を合成して表示することを特徴とする。
【００２０】
これらの態様では、本出願人が既に出願している特開２０００−３３５３３０と本発明を組み合わせることにより、実際にスイッチを操作している自分の指先と、スイッチに対応する選択肢の内容を表す画像との合成画像を確認できるので、選択肢の移動等の操作をより安全容易に行うことができる。
【００２１】
【発明の実施の形態】
次に、本発明の実施の形態（以下「実施形態」と呼ぶ）について、添付の図面を参照して具体的に説明する。なお、本実施形態は、コンピュータをプログラムで制御することにより実現され、システムや装置といった物のカテゴリーだけでなく方法及びプログラムとしても把握可能であるが、具体的なプログラムやハードウェアの実現態様は各種変更可能であるから、以下の説明では、本発明及び本実施形態の各機能を実現する仮想的回路ブロックを用いる。
【００２２】
〔１．構成〕
本装置は、車載カーオーディオシステム（車載機とも呼ぶ）であり、図１の機能ブロック図に示す以下の各要素を備える。すなわち、ＣＰＵ１は本装置全体を制御する制御手段である。レジストリ２は、メモリ等に設けられ、本装置の各種設定を記憶しておく部分である。
【００２３】
アプリケーション記憶部３は、各種機器を操作する場合にそれぞれ対応した各種アプリケーションプログラムを記憶しておく部分であり、パソコン等におけるハードディスク装置に相当するが、実際の記憶媒体の種類はＳＤＲＡＭなど自由である。表示順番テーブル４は、書き込み可能なメモリで構成され、操作部の操作ボタンの表示を行うために、レジストリに記憶されている操作ボタンやキーの表示順序に関する情報を一旦記憶させ、それに基づいて表示を行うための情報テーブルである。
【００２４】
信号処理部５は、音源ソース１１から入力された信号を音声処理部や映像処理部で処理できるように分けたり、デジタル信号のアナログ変換処理などを行う部分である。音声処理部６は、信号処理部５からの音声信号をスピーカ１０に出力するための処理を行う部分で、この音声処理部で音量調整以外にイコライザー処理を行う。映像処理部７は、表示部であるディスプレイ９に各種表示を行うための処理部で、信号処理部５からの信号に基づく表示や操作に関わるタッチ部分のボタンやキーの表示などを行うための信号処理部である。この映像処理部７は、表示順番テーブルからの表示順番に基づく表示ボタンの表示などの処理も行う。
【００２５】
また、音源ソース１１の具体的種類は自由であるが、例えば、電話装置１２，ＣＤ−オートチェンジャ（Ａ／Ｃ）１３、ＤＶＤ−ＲＯＭプレーヤ１４、ＴＶチューナ１５、その他の機器１６などが考えられる。なお、図１ではこれら各機器は外付けのように表しているが、これらの一部もしくは全てを本装置に内蔵してもよい。
【００２６】
また、ディスプレイ９は液晶表示パネルであり、前記プログラムにより制御されるＣＰＵ１、及び映像処理部７とともに、何らかの機能にそれぞれ対応する複数の選択肢を、所定の配列で画面表示する手段を構成している。また、操作部８は、ディスプレイ９の画面と一体となってタッチパネルを構成し、画面表示されている所望の選択肢への操作を入力するための操作入力手段である。これら操作部８やディスプレイ９は、車載機と一体でもよく、さらにスピーカまで含めて一体であってもよい。また、ＣＰＵ１は、前記プログラムに制御されることにより、以下の各機能を果たす手段として働く。
【００２７】
〔２．作用〕
〔２−１．作用の概略〕
本実施形態において、選択肢についてタッチパネルで、所定時間以内の押す操作が行われると、その選択肢に対応するアプリケーションなどの機能が呼び出される点は従来と共通である。
【００２８】
一方、本発明特有の処理として、図２の操作画面例及び図３のフローチャートに示すように、タッチパネルを通じ、所定時間以上の長押しが行われた選択肢は、配列の先頭へ移動される。
【００２９】
〔２−２．処理手順〕
次に、本実施形態の特徴として、表示されたボタンの並び換えを含めて、より具体的に説明する。すなわち、図３のフローチャートに示すように、ＣＰＵ１は、まず、ディスプレイ９に選択肢であるボタンを表示するために、レジストリ２に記憶されている各アプリのＩＤとその順番をレジストリ２から取得する（ステップ３１）。
【００３０】
ここで、各アプリケーションにはそれぞれ特有のＩＤが割り振られている。そして、画面の各ボタンに実際にアプリケーションを名称・略称・絵柄等で表示する順番については、所定の表示順番テーブル４上に、アプリケーションのＩＤをセットし、この表示順番テーブル４上の順番にしたがって、画面の各ボタン上に対応する選択肢として、アプリケーションが名称・略称・絵柄等で表示される。
【００３１】
ここでは、表示順番テーブル４のデータを初期化し、ステップ３１で取得した各アプリのＩＤとその順番を表示順番テーブルにセットする（ステップ３２）。そして、この表示順番テーブルにセットされたデータに基づき操作ボタンを画面に表示する（ステップ３３）。
【００３２】
そして、ユーザーは、表示された操作ボタンの配置を替えたいとき、そのボタン部分に指を当てる（ステップ３４）。すると、指が当てられた（触れた）ボタンやキーの位置座標が算出され、ボタンを特定すると共に、それが表示順番テーブルの何番目かを算出する（ステップ３５）。また、ボタンやキーの操作開始から所定時間内に指がタッチパネル面から離れたかどうかを検出し（ステップ３６）、所定時間内に指が離れた場合はそのボタンやキーに割り当てられているアプリを起動させる（ステップ３７）。
【００３３】
所定時間を経過しても押されている場合は、そのキーは先頭かどうかを判断する（ステップ３８）。そして、一番目のボタンやキーが操作されたのであれば、そのボタンを移動させる必要がないので、次のユーザ指示（ステップ３４）があるまで待つ。
【００３４】
一方、一番目以外のキーが操作されたのであれば（ステップ３８）、指示されたボタンやキーを先頭位置へ移動する（ステップ３９）。この際、指示されたボタンの順番を表示順番テーブルにおいて一番目（先頭）とすることによって表示の順番を変更させればよい。そして、このように新たに決定された表示順番をレジストリに記憶させる（ステップ３１０）。
【００３５】
例えば、表示順番テーブル４の内容が、１．ＴＥＬ、２．ＴＶ、３．ＤＶＤ、…とあるときに、３番目のキーが長押しされた場合、表示順番テーブル４において１．ＤＶＤ、２．ＴＥＬ、３．ＴＶ、…と入れ替えることにより、次の起動時にも新たに設定した表示順番で表示させることができる。
【００３６】
ここで、以上の操作によって表示順番が切り替わった画面例を図２に示す。すなわち、図２（Ａ）は順番変更前の表示画面例で、矢印部分のボタンを操作することによって、図２（Ｂ）の表示となる。なお、この例では、移動によってそれまで一番目にあった（ボタン）キーについては、縦方向に同じ列の下へ移動する例を示したが、表示順序変更に伴い同じ行の右へ移動するのでもよい。
【００３７】
〔３．効果〕
以上のように、本実施形態では、車中の操作部という限られたスペースでも、画面上の所望の選択肢について、長押しという簡単な操作だけで配列先頭へ移動できるので、選択肢の配列を編集可能となる。これにより、頻繁に使う選択肢を選択しやすい位置に持ってくれば、操作も容易になり効率化される。
【００３８】
また、本実施形態では、長押し等の操作をタッチパネルから入力するので、省スペース化及び操作効率化の効果が得られる。
【００３９】
〔４．第２実施形態〕
また、操作入力手段を通じ、移動させる選択肢を所定の操作により予め選択したうえ、その移動先の位置を長押し操作により選択し、前記移動させる選択肢を、前記移動先の位置へ移動させる態様も考えられる。このようにすれば、車中の操作部という限られたスペースでも、画面上の所望の選択肢について、移動対象を選択のうえ移動先を長押しするという簡単な操作だけで、配列先頭だけでなく所望の場所へ移動できるので、選択肢の配列を編集可能となる。
【００４０】
また、タッチパネルの代りに、別に設けられたリモコンユニットや操作パネル等の操作部を使い、ボタンやキー配置に対する長押し等により操作することも可能である。
【００４１】
これらを組み合わせた一例を示す。例えば、画面には、パーソナルコンピュータのテンキーと同様に、縦横マトリクス状にボタンを配列する。そして、リモコン等の操作部側では、例えば各操作ボタンを画面上の各選択肢と予め対応づけ、所望の選択肢に対応する操作ボタンを押すか、又はジョイスティックや上下左右キー操作により、画面上では特有の明るさや色をカーソル代わりに、選択肢の間で移動させる。
【００４２】
なお、ボタンに触れる等の操作により、表示画面上の対応する選択肢の色や明るさを変えて、どの選択肢を操作しようとしているかを示す動作を「フォーカスを合わせ」ると総称する。そして、このように希望する選択肢にフォーカスを合わせた状態で、対応するボタンを更に押し込んだり、再度押したり、決定ボタンやエンターキー等を操作すると、その操作が正式決定される。
【００４３】
このような操作態様においてボタン配列を切り換えるには、フォーカス合わせの状態で、移動先としたい位置の操作ボタンを長押しする。これにより、長押しした選択肢の位置へ、フォーカスを合わせたボタンやキーが移動し、対応する機能やアプリケーションを、その位置から呼び出し可能となる。
【００４４】
〔５．他の実施形態〕
なお、本発明は上記実施形態に限定されるものではなく、以下に例示するような他の実施形態も含むものである。例えば、本発明はカーオーディオシステムなど自動車関係だけでなくＰＤＡ（Ｐｅｒｓｏｎａｌ　Ｄｉｇｉｔａｌ　Ａｓｓｉｓｔａｎｔ）など小型の各種情報機器にも適用可能である。また、選択肢の配列形式は、操作ボタンやキーを縦横に並べて例えば左上を先頭位置とする他、リストのような文字列の一覧など自由である。また、選択肢に対する操作に応じて呼び出される機能は、単なるプログラムルーチンでも、アプリケーションでもよい。また、長押しかどうかの判別は、押し続けられる時間をタイマー等で計測すればよい。
【００４５】
また、例えば前記操作入力手段として、複数のスイッチを備えたスイッチアレイを備え、スイッチアレイを撮影したリアルタイムの画像に、前記各スイッチに対応する選択肢の内容を表す画像を合成して表示する手段を備えるようにしてもよい。
【００４６】
このようにすれば、本出願人が既に出願している特開２０００−３３５３３０と本発明を組み合わせることにより、実際にスイッチを操作している自分の指先と、スイッチに対応する選択肢の内容を表す画像との合成画像を確認できるので、選択肢の移動等の操作をより安全容易に行うことができる。
【００４７】
【発明の効果】
以上のように、この発明によれば、車中の操作部という限られたスペースでも、簡単な操作で選択肢の配列を編集する技術すなわち電子情報処理装置、方法及びプログラムを提供することができる。
【図面の簡単な説明】
【図１】本発明の実施形態の構成を示す機能ブロック図。
【図２】本発明の実施形態における画面表示例を示す図。
【図３】本発明の実施形態における動作手順を示すフローチャート。
【符号の説明】
１…ＣＰＵ
２…レジストリ
３…アプリケーション記憶部
４…表示順番テーブル
５…信号処理部
６…音声処理部
７…映像処理部
８…操作部
９…ディスプレイ
１０…スピーカ
１１…ソース
ＳＴＥＰ…手順の各ステップ
【図１】
2004038260.tif 000003
【図２】
2004038260.tif 000004
【図３】
2004038260.tif 000005